(57)【要約】【課題】画像処理装置の操作入力部におけるユーザビリティーを向上させる。【解決手段】実施形態の画像処理装置は、装置の機能を表し選択操作可能なオブジェクトを表示画面内に複数個表示する表示手段と、オブジェクトが選択されると該オブジェクトに割り付けられた機能を遂行する制御手段と、オブジェクトの編集モードにおいて、各オブジェクトの表示設定を編集する編集手段と、を有する。編集手段は、第１のオブジェクト及び該オブジェクトと近隣する第２のオブジェクトとの間で配置交換を行うための移動ボタンを、第１のオブジェクトまたは第２のオブジェクトの少なくとも一方の一部に表示し、前記移動ボタンが選択されると、両オブジェクトの配置を交換するように各オブジェクトの表示設定を変更する。【選択図】図８
2018173999.tif 000002
【特許請求の範囲】
【請求項１】
画面に画像を表示する表示手段と、
前記表示手段に、装置の機能が割り付けられた定義済みオブジェクトと、装置の機能が割り付けられていない未定義オブジェクトとを表示し、前記定義済みオブジェクトが選択されると前記定義済みオブジェクトに割り付けられた機能を遂行する制御手段と、を備え、
前記制御手段は、前記定義済みオブジェクトおよび未定義オブジェクトの表示設定を編集する編集モードにおいて、近隣する２つの前記定義済みオブジェクトに対する移動ボタンを、前記２つの定義済みオブジェクトの少なくとも一方に前記移動ボタンの少なくとも一部が重なるように表示し、前記移動ボタンが選択されると、前記両定義済みオブジェクトの配置を交換するように前記表示設定を変更し、近隣する前記定義済みオブジェクトおよび前記未定義オブジェクトに対する前記移動ボタンの表示を禁止する
ことを特徴とする画像処理装置。
【請求項２】
前記制御手段は、前記表示手段に、装置の機能が割り付けられ且つ配置換えが禁止される移動禁止オブジェクトを前記定義済みオブジェクトと共に表示し、前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように表示することを特徴とする請求項１に記載の画像処理装置。
【請求項３】
前記制御手段は、装置の機能を表し選択操作可能な前記定義済みオブジェクトを表示するとともに、選択操作可能な前記未定義オブジェクトを表示し、前記移動ボタンを、隣り合う２つの前記定義済みオブジェクトの少なくとも一方の前記定義済みオブジェクト上において、他方の前記定義済みオブジェクト側に表示し、前記移動ボタンは、前記他方の前記定義済みオブジェクトを指し示すことを特徴とする請求項１または２に記載の画像処理装置。
【請求項４】
表示手段を備える画像処理装置によるオブジェクト表示方法であって、
前記表示手段に、装置の機能が割り付けられた定義済みオブジェクトと、装置の機能が割り付けられていない未定義オブジェクトとを表示し、
前記定義済みオブジェクトおよび未定義オブジェクトの表示設定を編集する編集モードにおいて、近隣する２つの前記定義済みオブジェクトに対する移動ボタンを、前記２つの定義済みオブジェクトの少なくとも一方に前記移動ボタンの少なくとも一部が重なるように表示し、
前記移動ボタンが選択されると、前記両定義済みオブジェクトの配置を交換するように前記表示設定を変更し、
近隣する前記定義済みオブジェクトおよび前記未定義オブジェクトに対する前記移動ボタンの表示を禁止し、
前記編集モードが終了し、前記定義済みオブジェクトが選択されると該定義済みオブジェクトに割り付けられた機能を遂行する
ことを特徴とする方法。
【請求項５】
前記表示手段に、装置の機能が割り付けられ且つ配置換えが禁止される移動禁止オブジェクトを前記定義済みオブジェクトと共に表示し、
前記移動禁止オブジェクトの両側に位置する２つの前記定義済みオブジェクトに対する移動ボタンを、前記２つの定義済みオブジェクトの少なくとも一方に前記移動ボタンの少なくとも一部が重なるように表示することを特徴とする請求項４に記載の方法。
【請求項６】
表示手段を備える画像処理装置に、
前記表示手段に、前記画像処理装置の機能が割り付けられた定義済みオブジェクトと、前記画像処理装置の機能が割り付けられていない未定義オブジェクトとを表示し、
前記定義済みオブジェクトおよび未定義オブジェクトの表示設定を編集する編集モードにおいて、近隣する２つの前記定義済みオブジェクトに対する移動ボタンを、前記２つの定義済みオブジェクトの少なくとも一方に前記移動ボタンの少なくとも一部が重なるように表示し、
前記移動ボタンが選択されると、前記両定義済みオブジェクトの配置を交換するように前記表示設定を変更し、
近隣する前記定義済みオブジェクトおよび前記未定義オブジェクトに対する前記移動ボタンの表示を禁止し、
前記編集モードが終了し、前記定義済みオブジェクトが選択されると該定義済みオブジェクトに割り付けられた機能を遂行する
ことを実行させるオブジェクト表示プログラム。
【発明の詳細な説明】
【技術分野】
【０００１】
この明細書に記載の実施形態は、画像処理装置の操作入力部におけるユーザビリティーを向上させるためのソフトウエア技術に関する。
【背景技術】
【０００２】
近年の各種電子機器は、タッチパネル方式により操作入力部を兼ね備えた画像表示部を備える製品が多くなって来ている。このような機器では、画像表示部にソフトウエアボタンないしショートカットボタンとしてのオブジェクト（アイコン）を複数個表示し、いずれかのアイコンを指やペンなどで選択（タッチ操作）することで、該アイコンに対応する機器の特定機能が遂行されたり、該特定機能の詳細設定の画面が呼び出されたりする。
【０００３】
このような機器において、ユーザの操作性向上の観点から、複数表示されたアイコンの配置を変更して、自分の使いやすいようにカスタマイズしたい場合がある。このようなニーズに対応したものとして、ユーザが表示部のアイコンをタッチしてドラッグ＆ドロップの操作を行うことで、アイコンを移動する構成のものが知られている。
【先行技術文献】
【特許文献】
【０００４】
【特許文献１】特開２０１０−９７５５２号公報
【発明の概要】
【発明が解決しようとする課題】
【０００５】
しかしながら、この構成では、ユーザがドラッグ＆ドロップのタッチ操作に不慣れな場合や、ユーザの手や装置の状態等によっては、操作者の思い通りの位置にアイコン移動操作ができないという短所がある。例えば、アイコン移動操作の途中で圧着感度が低下すると、装置はタッチが途切れたと判断することになり、操作者の意思に反し、移動途中にも関わらずアイコン位置を途中で確定してしまう場合がある。
【０００６】
実施形態は、画像処理装置の操作入力部におけるユーザビリティーを向上させる技術を提供することを目的とする。
【課題を解決するための手段】
【０００７】
実施形態の画像処理装置は、装置の機能を表し選択操作可能なオブジェクトを表示画面内に複数個表示する表示手段と、前記オブジェクトが選択されると該オブジェクトに割り付けられた機能を遂行する制御手段と、前記オブジェクトの編集モードにおいて、各オブジェクトの表示設定を編集する編集手段と、を有し、前記編集手段は、前記第１のオブジェクト及び該オブジェクトと近隣する第２のオブジェクトとの間で配置交換を行うための移動ボタンを、第１のオブジェクトまたは第２のオブジェクトの少なくとも一方の一部に表示し、前記移動ボタンが選択されると、両オブジェクトの配置を交換するように各オブジェクトの表示設定を変更する。
【図面の簡単な説明】
【０００８】
【図１】実施形態の画像処理装置の外観を示す斜視図である。
【図２】実施形態の画像処理装置の内部のハードウェア構成を示す図である。
【図３】実施形態の画像処理装置の表示／操作パネルを示す図である。
【図４】実施形態の画像処理装置のアイコン配置編集時の動作例を示すフローチャート図である。
【図５】アイコン配置編集前の表示／操作パネルに表示されるアイコン表示例を示す図である。
【図６】アイコン配置編集開始時でのアイコン表示例を示す図である。
【図７】アイコン配置編集中の操作例を示す図である。
【図８】アイコン配置編集中の操作例を示す図である。
【図９】表示／操作パネルのアイコン配置編集後のアイコン表示例を示す図である。
【図１０】斜め方向のアイコン同士の配置交換も出来るようにしたアイコン表示例を示す図である。
【図１１】アイコン配置編集前の他のアイコン表示例を示す図である。
【図１２】アイコン配置編集前の他のアイコン表示例を示す図である。
【図１３】第２の実施形態に関し、管理者定義アイコンがある場合のアイコン配置編集前のアイコン表示例を示す図である。
【図１４】管理者定義アイコンがある場合のアイコン配置編集開始時のアイコン表示例を示す図である。
【図１５】管理者定義アイコンがある場合のアイコン配置編集開始時の他のアイコン表示例を示す図である。
【図１６】第２の実施形態でのアイコン配置編集開始時のアイコン表示例を示す図である。
【図１７】第２の実施形態でのアイコン配置編集中の操作例を示す図である。
【図１８】第２の実施形態でのアイコン配置編集中の操作例を示す図である。
【発明を実施するための形態】
【０００９】
（第１の実施形態）
本実施形態では、装置の機能を表し選択操作可能なオブジェクトを表示画面内に複数個表示する表示手段と、オブジェクトが選択されると該オブジェクトに割り付けられた機能を遂行する制御手段と、オブジェクトの編集モードにおいて、各オブジェクトの表示設定を編集する編集手段と、を有する画像処理装置が提供される。
【００１０】
画像処理装置の編集手段は、第１のオブジェクト及び該オブジェクトと近隣する第２のオブジェクトとの間で配置交換を行うための移動ボタンを、第１のオブジェクトまたは第２のオブジェクトの少なくとも一方の一部に表示し、前記移動ボタンが選択されると、両オブジェクトの配置を交換するように各オブジェクトの表示設定を変更する。
【００１１】
より具体的には、表示画面内には、相互に同一外形のオブジェクトが複数個、格子状の配列で表示される。そして、移動ボタンは、近隣するオブジェクトに近い領域である近隣領域に表示される。
【００１２】
以下、図面を参照しつつ本実施形態の態様を説明する。図１は、本実施形態の画像処理装置１００の外観を示す斜視図である。
【００１３】
本画像処理装置１００は、画像読取装置としてのスキャナの機能、画像形成装置としてのプリンタ及びコピー機の機能、スキャナで読み取った画像データをデータ転送するファクシミリまたはメール送信の機能、等を備えた多機能一体型のデジタル複合コピー機（Ｍｕｌｔｉ  Ｆｕｎｃｔｉｏｎ  Ｐｒｉｎｔｅｒ：ＭＦＰ）である。
【００１４】
この画像処理装置１００は、プリンタ及びコピー機として、例えば、ＣＭＹＫ（シアン・マゼンタ・イエロー・ブラック）の４色を一度に印刷する所謂４連タンデム方式のカラー印刷機能を備える。
【００１５】
画像処理装置１００は、画像情報を出力画像として出力するための画像形成部１、画像形成部１に対して画像出力に用いられる任意サイズの用紙を供給可能な給紙カセット３（この例では４つの給紙カセット）、画像情報を保持した原稿からデータとして取り込む画像読取手段としてのスキャナ５を有する。画像形成部１の上方には、原稿がシート状である場合、スキャナ５での画像情報の読み取り終了後、原稿を読み取り位置から排出位置に排出し、次の原稿を読み取り位置に案内する自動原稿送り装置７が設けられている。
【００１６】
そして、画像処理装置１００は、スキャナ５による原稿の画像情報を読み取るためのスキャン開始、その他必要事項を指示するための入力手段及び各種情報を表示する表示手段としての表示／操作パネル４を備えている。
【００１７】
図示のように、この表示／操作パネル４は、スキャナ５の使用時に原稿を載置するための原稿台の上方に位置され、回動及び屈曲可能なアーム部材により移動可能に支持される構成となっている。
【００１８】
表示／操作パネル４は、図２及び図３に示すように、タッチパネルディスプレイ４０及び操作パネル４１を備えており、これら各部の詳細は後述する。
【００１９】
図２は、画像処理装置１００内部のハードウェア構成の一例を示すブロック図である。画像処理装置１００は、プロセッサ１０、ＤＲＡＭ（Dynamic Random Access Memory）２０、ＲＯＭ（Read Only Memory）３０、タッチパネルディスプレイ４０、操作パネル４１、ＨＤＤ（Hard Disk Drive）５０、スキャナ６０、プリンタ７０、ネットワークＩ／Ｆ（Interface）８０を有する。これら各部は、通信用のバスを介して互いに制御信号やデータの送受信を行う。
【００２０】
プロセッサ１０は、例えばＣＰＵ（Ｃｅｎｔｒａｌ  Ｐｒｏｃｅｓｓｉｎｇ  Ｕｎｉｔ）などの演算処理装置であり、ＲＯＭ３０やＨＤＤ４０などに格納されているプログラムをＤＲＡＭ２０にロードし、演算実行することで、プログラムに従った様々な処理を行う。ＤＲＡＭ２０は、揮発性の主記憶装置である。ＲＯＭ３０は、データを永続的に記憶する読み取り専用の不揮発性の記憶装置であり、システム起動時のＢＩＯＳ（Ｂａｓｉｃ  Ｉｎｐｕｔ  Ｏｕｔｐｕｔ  Ｓｙｓｔｅｍ）などが記憶されている。
【００２１】
ＨＤＤ５０は、永続的に記憶可能な不揮発性の補助記憶装置であり、ユーザが使用するデータやプログラムを記憶する。より詳細には、ＨＤＤ５０には、この画像処理装置１００を使用するユーザ毎の設定データがユーザデータベースとして格納されている。ここで「設定データ」とは、詳細を後述するアイコンの配置を設定するためのデータを含む。
【００２２】
タッチパネルディスプレイ４０は、表示部及び操作入力部としての機能を有し、表示部に表示されたオブジェクトの画像（アイコン）を指等で選択することで、装置の各種設定や動作を指定することができる。
【００２３】
この実施形態では、タッチパネルディスプレイ４０は、静電容量方式のタッチパネルの入力部、およびフラット型パネルの表示部により構成されている。タッチパネルは、複数の同時接触を検知するマルチタッチに対応しており、接触位置に応じた座標値（Ｘ値、Ｙ値）を得ることができる。フラット型パネルは、表示用の発光素子をパネル全面に備えている。従って、本実施形態では、タッチパネルディスプレイ４０のパネル全面が画像表示領域となる。
【００２４】
そして、タッチパネルディスプレイ４０は、画像表示領域内で予め定義された所定の座標に、ショートカットボタンとしての後述するアイコンを表示する。かかるアイコンを指やペンなどでタッチすることで、プロセッサ１０の制御により、該アイコンに割り付けられた装置の機能（例えばコピー、スキャン、ファックス）が呼び出されて、当該機能の詳細設定の画面（例えばコピー画面、スキャン画面、ファックス画面）が表示され、或いは当該機能が直接実行されることになる。
【００２５】
操作パネル４１は、主に操作入力部としての機能を有し、後述する種々のハードウエアボタン（スイッチ）を備える。
【００２６】
ネットワークＩ／Ｆ８０は、外部機器と通信を担うユニットであり、ＬＡＮ（Local Area Network）ボードを含む。またネットワークＩ／Ｆ８０は、近距離無線通信規格に準拠したデバイスやＵＳＢ（Universal Serial Bus）の規格に準拠したコネクタを有する。
【００２７】
図３は、上述したタッチパネルディスプレイ４０及び操作パネル４１を含む表示／操作パネル４の全体構成を説明するための外観図である。
【００２８】
図３に示すように、表示／操作パネル４には、表示部及び操作入力部の機能を兼ね備えたタッチパネルディスプレイ４０と、機能設定キー４２、テンキー４３、スタートキー４４、リセットキー４５、および、ストップキー４６などの種々のハードウェアキーが設けられ主に操作入力部としての機能を担う操作パネル４１と、に大別される。
【００２９】
タッチパネルディスプレイ４０は、タッチパネル内蔵の液晶表示装置などにより構成される。かかるタッチパネルディスプレイ４０の画像表示領域には、タッチパネルにより操作可能な種々の操作画面が表示される。タッチパネルディスプレイ４０に表示される操作画面の表示例については、後に詳述する。
【００３０】
機能設定キー４２は、本画像処理装置１００の種々の機能を選択するためのハードウェアキーである。この機能設定キー４２として、例えば、スキャン機能を選択するためのスキャン機能選択キー４２ａ、コピー機能を選択するためのコピー機能選択キー４２ｂ、ファックス機能を選択するためのＦＡＸ機能選択キー４２ｃなどが設けられている。
【００３１】
テンキー４３は、数字などを入力するためのハードウェアキーである。テンキー４３は、たとえば、コピー枚数、部門コード、ファックス番号、ユーザ識別情報（ユーザＩＤ、パスワード、メールアドレス等）、などの情報を入力するために用いられる。
【００３２】
スタートキー４４は、本画像処理装置１００で選択された機能について、その動作の開始を指示するためのハードウェアキーである。例えば、コピー機能では、スタートキー４４の指示に応じてコピー動作が開始される。
【００３３】
リセットキー４５は、設定内容などのリセット（設定データの破棄、初期化など）を指示するためのハードウェアキーである。例えば、タッチパネルにより入力した設定などがリセットキー４５の押下げ操作に応じてリセットされる。
【００３４】
ストップキー４６は、画像処理装置１００が実行中の動作の中断を指示するためのハードウェアキーである。例えば、本装置のコピー動作中に上記ストップキー４６が押下げ操作されると、コピー動作が中断されるようになっている。
【００３５】
また、図３に示す操作パネル４１には、上述した各種のキーの他に、ユーザガイドの表示を指示するヘルプ（ＨＥＬＰ）キー、設定あるいは登録の実行を指示するための設定／登録キー、予め登録されているデータとしてのテンプレートを選択するためのテンプレートキー、動作の割り込みを要求するための割り込みキー、当該デジタル複合機の状態を確認するための状況確認キー、セキュリティ設定などを行うための鍵キー、消費電力を削減する節電動作モードと通常動作モードとを切替えるための節電キー、電話機能としてオンフック状態とするためのオンフック／ポーズキー、上記テンキーなどにより入力された数字などをクリアするためのクリアキー、当該デジタル複合機内の異常を報知するためのアラーム表示器などが設けられている。
【００３６】
以下、本画像処理装置１００の全体的な動作について説明する。画像処理装置１００では、主電源がＯＮにされると、プロセッサ１０が、ＲＯＭ３０からＢＩＯＳ等の基本的なプログラムやデータを読み出して実行することで、起動のための処理が遂行される。その後、プロセッサ１０は、ＨＤＤ５０やＤＲＡＭ２０から初期設定状態のデータを読み出して実行することで、タッチパネルディスプレイ４０の画像表示領域にアイコン等を初期（デフォルト）状態で表示して、待機状態となる。
【００３７】
さらに、プロセッサ１０は、各種のリクエスト信号（操作入力信号、ファックス受信など）を受信するまで待機し、リクエスト信号が受信されると、該リクエストに応じた動作（コピー、ファックス、後述するアイコン配置編集を含む各種設定処理、など）を行うように各部を制御する。主電源がＯＦＦにされる際には、プロセッサ１０は、次回起動時に必要となるデータをＨＤＤ５０に保存して、装置全体の動作を終了させる。
【００３８】
図４は、タッチパネルディスプレイ４０に表示されるアイコンの配置を編集する際のアイコン配置編集モードにおける動作例を示すフローチャートである。
【００３９】
図４に示す動作は、プロセッサ１０が、予めＨＤＤ４０に記憶されているプログラムをＤＲＡＭ２０にロードして実行し、このプログラムコードに従った演算を実行し、またタッチパネルディスプレイ４０などの他のハードウェアと協働することで実現される。すなわち、これら各部がアイコン配置を編集する編集手段としての機能を担う。
【００４０】
プロセッサ１０は、所定のボタンが選択された場合に、タッチパネルディスプレイ４０内に表示されるアイコン（すなわち装置の機能を示す画像オブジェクト）の配置を編集するためのアイコン配置編集モードに移行する（ＡＣＴ００１）。
【００４１】
アイコン配置編集モードが開始されると、プロセッサ１０は、編集しようとするユーザのユーザＩＤを識別し（ＡＣＴ００２）、当該ユーザＩＤに対応付けられた設定データをＨＤＤ４０のユーザＤＢから読み出して、かかる設定データに従った内容のアイコンを、タッチパネルディスプレイ４０に表示する（ＡＣＴ００２）。
【００４２】
なお、上記ＡＣＴ００２でのユーザＩＤ識別の際には、ユーザＩＤの入力を促す画面をタッチパネルディスプレイ４０に表示し、入力されたユーザＩＤとの照合を行うようにする。
【００４３】
ここで、ユーザＩＤの入力は、テンキー４３等のハードウエアボタンの操作及び／又はタッチパネルディスプレイ４０に表示された数字等のボタンをタッチして行うことができる。さらに、カードリーダ（図示せず）を使用して、ユーザＩＤが記録された磁気カードやＩＣカードをカードリーダに近づけて行うこともできる。
【００４４】
なお、かかるユーザＩＤの入力及び照合の処理がアイコン配置編集モードの開始に先立って行われている場合には、ＡＣＴ００２でのかかる処理を省略することもできる。
【００４５】
図５及び図６は、タッチパネルディスプレイ４０の画像表示領域（表示画面）に表示されるアイコンの一例を示す図であり、図５がアイコン配置編集モードに入る前の状態、図６がアイコン配置編集モード開始時の状態を、それぞれ示す。
【００４６】
この実施形態では、装置の機能を示すアイコン（オブジェクト）が、タッチパネルディスプレイ４０に４（横）×２（縦）＝合計８つ配列された場合を例示するが、表示されるアイコンの数や縦横の数は、これに限定されない。
【００４７】
また、図示の形態では、説明を簡明化するために、各アイコンに「１」〜「８」の番号を付したが、実際には、各アイコンには、画像処理装置１００の機能を示す文字（例えば「コピー」、「ＦＡＸ」、「スキャン」、など）や当該機能を表す絵などが画像として表示される。
【００４８】
図５及び図６に示す例では、タッチパネルディスプレイ４０に表示されたアイコンは、装置の機能が定義されたものと未定義のものとの２種類に大別される。
【００４９】
この内、未定義のアイコンは、その中央に、未定義であることを示す文字や記号による画像（この例では「＋」記号の指標）が表示される。また、未定義のアイコン（この例では「３」、「４」、「８」の３つのアイコン）は、タッチパネルディスプレイ４０の画像表示領域の一方側（この例では右側）に纏まって表示されるようになっている。
【００５０】
そして、装置の機能が定義されていないこれらの未定義のアイコンは、装置の機能が定義されるまでは、タッチパネルディスプレイ４０内での表示位置の移動（交換）が禁止される。未定義のアイコンについて、このようなルール（すなわちプログラムの記述）とすることにより、定義済みアイコンの配置の自由度が可及的に確保されることになる。
【００５１】
未定義のアイコンに装置の機能を定義する（割り付ける）には、アイコン配置編集モード中に、当該アイコンを指等で選択（タッチ）する。これにより、タッチパネルディスプレイ４０の画面は、定義できる機能のリストが表示されるリスト表示画面（図示せず）に切り替わり、当該画面で所定の操作を行うことで、装置の機能の割り付けが行われ、これにより、当該アイコンと特定機能とが対応付けられる。
【００５２】
一方、装置の機能が定義されている定義済みアイコン（この例では「１」、「２」、「５」、「６」、「７」の５つのアイコン）は、図６に示すように、アイコン配置編集モード中は、定義された機能を解除するための指標（この例ではアイコン右上側の記号「×」のボタン）と、２つのアイコン間での配置位置の変更（交換）を行うための指標となる指示ボタン（アローヘッドのボタン）が表示される。これら各指標は、ソフトウェアボタン（スイッチ）としての機能を有するものであり、以下、この記号「×」によるボタンを「定義解除ボタン」とも称し、また、アローヘッドのボタンを「位置移動ボタン」とも称する。
【００５３】
まず、定義解除ボタンについて説明すると、アイコン配置編集モード中にかかる定義解除ボタンを選択する、すなわち「×」の指標を指等でタッチすると、当該アイコンは、その定義された機能が解除されて未定義アイコンとなる。このため、当該アイコンは、必要に応じてタッチパネルディスプレイ４０の表示領域（表示画面）内での右側に移動する。
【００５４】
例えば、図６の「７」のアイコンの定義解除ボタンを選択した場合には、かかる指標及び左側のアローヘッドの指標（位置移動ボタン）が消え、未定義であることを示す上述の「＋」のボタンが新たに表示（生成）されるが、アイコンの配置換え、すなわちタッチパネルディスプレイ４０中の表示位置の変更はされない。これは、上述のように、未定義のアイコンの配置設定が、タッチパネルディスプレイ４０の表示画面内の右側に纏めて表示する設定とされているからである。
【００５５】
これに対して、例えば、図６の「１」のアイコンの定義解除ボタンを選択した場合には、該指標と２つの位置移動ボタンの消去及び指標「＋」の生成のみならず、アイコンの表示位置（配置）が「７」のアイコンの場所に移動する。この場合、本例（デフォルト設定）では、定義済みの各アイコンが、その番号に従って順次繰り上がるように移動する。すなわち、「２」のアイコンが左に移動し、「５」のアイコンが右上に、「６」及び「７」のアイコンが左側に一つずつ移動する。但し、アイコンの移動形態については、他の設定とすることもでき、例えば「１」のアイコンの「×」の指標を選択した場合に、「７」のアイコンが「１」のアイコンの表示位置に移動（すなわち配置交換）して、他の「２」、「５」、「６」のアイコンを移動させない設定とすることもできる。
【００５６】
次に、２つのアイコン間での配置位置の変更（交換）を行うための位置移動ボタンについて説明する。本実施形態では、位置移動ボタン（アローヘッド）は、表示位置の移動（配置交換）が可能な１ペアのアイコンで各一つ表示される。
【００５７】
例えば、図６の例での「２」のアイコンは、左側に隣接する「１」のアイコンとの間で配置交換が可能であり、かつ、下側に隣接する「６」のアイコンとの間でも配置交換が可能である。このため、「２」のアイコンの左側の領域に「＜」の位置移動ボタンが表示されるとともに、「１」のアイコンの右側の領域にも「＞」の位置移動ボタンが表示される。
【００５８】
同様に、「２」のアイコンの下側の領域に「∨」の位置移動ボタンが表示されるとともに、「６」のアイコンの上側の領域にも「∧」の位置移動ボタンが表示される。
【００５９】
他方、「２」のアイコンの右側に隣接する「３」のアイコンは未定義アイコンであるため、「２」のアイコンの右側の領域には位置移動ボタンが表示されない。また、「２」のアイコンの上側には隣接するアイコンがないため、「２」のアイコンの上側の領域にも位置移動ボタンは表示されない。
【００６０】
以下、２つのアイコン間での表示位置の変更（配置交換）を行うための位置移動ボタンが表示されるアイコン中の所定領域を「近隣領域」と称する。
【００６１】
上述した配置交換及び機能解除のためのボタン（すなわちアローヘッド及び「×」のボタン）は、アイコン配置編集時にのみ表示されるものであり、アイコン配置編集モードが終了すると表示されなくなる（図５参照）。
【００６２】
したがって、アイコン配置編集モード以外の状態では、定義済みアイコン中の位置変更ボタン（近隣領域）や「×」に相当する場所を指等のタッチで選択しても、配置交換や機能解除等はなされず、そのアイコンで定義された機能に関する表示及び各種動作が遂行される。
【００６３】
逆に、アイコン配置編集モードでは、定義済みアイコン中の中央の領域、言い換えると、近隣領域や機能解除ボタンに対応する領域以外の領域を指等のタッチで選択しても、そのアイコンに割り付けられた機能に関する画面表示及び各種動作は遂行されない。すなわち、アイコン配置編集モードでは、アイコンのタッチ操作を通じての当該アイコンに対応した機能の呼び出しや直接の動作が禁止されることになる。
【００６４】
フローチャートの説明に戻ると、ユーザの設定を反映したアイコン配置での編集画面を表示すると、プロセッサ１０は、操作入力部（タッチパネルディスプレイ４０及び操作パネル４１）からの入力信号を監視してユーザからの操作入力があるまで待機する。ユーザからの操作入力信号を検知すると、プロセッサ１０は、該操作がアイコン配置換えの操作であるかを判定する（ＡＣＴ００４）。
【００６５】
この判定は、位置変更ボタンすなわちアイコン中の予め定義された座標値による近隣領域が選択（接触）されたか否かに基づいて行われる。すなわち、近隣領域が選択されたと判定された場合には（ＡＣＴ００４のＹＥＳ）、プロセッサ１０は、対応する２つのアイコンの配置を交換するようにタッチパネルディスプレイ４０の表示を制御することで、当該１対のアイコンの表示位置を変更する（ＡＣＴ００５）。
【００６６】
他方、検知された操作入力信号が近隣領域の選択によるものではないと判定された場合には（ＡＣＴ００４のＮＯ）、プロセッサ１０は、当該操作入力信号の内容に従った他の動作のための処理を遂行する（ＡＣＴ００６）。ここで、他の動作のための処理とは、例えば、上述した定義解除ボタンの選択に基づく機能の解除、編集終了ボタン（図６参照）の選択に基づく当該編集モードの終了、などである。
【００６７】
かくして、プロセッサ１０は、ユーザの操作入力に従って、ＡＣＴ００４乃至ＡＣＴ００６の処理を繰り返し、編集終了ボタンの選択が検知されると（ＡＣＴ００７のＹＥＳ）、当該ユーザのアイコンの設定内容のデータを保存（更新）するようにＨＤＤ５０のユーザＤＢを更新し（ＡＣＴ００８）、一連の処理を終了する。
【００６８】
ここで更新されるユーザのアイコンの設定内容のデータには、タッチパネルディスプレイ４０に表示するアイコンの総数、各アイコンが配置される縦及び横の段数、各アイコン別のＩＤ、該ＩＤに対応付けられる設定データ、未定義アイコンを配置する規則についてユーザが選択したデータ、などである。また、アイコン別のＩＤに対応付けられる設定データとしては、定義済みか否かの別を示すデータ、定義された装置の機能を示すデータ、などが挙げられる。これらのデータは、次回のユーザＩＤ認証時に再び読み出されることになる。
【００６９】
図７及び図８は、位置移動ボタンをタッチ操作することにより、２つのアイコンの位置を移動する場合の操作例を示す。図示のように、「２」のアイコンの下側に表示されている下向きのアローヘッドによる位置移動ボタンを選択（指でタッチ）すると、その下に位置している「６」のアイコンと位置が入れ替わる。かかる編集モードを終了させた場合の表示画面を図９に示す。
【００７０】
このように、本実施形態の位置移動ボタンのアローヘッドの向きは、アイコンの移動方向を示しているので、視覚的にも分かり易いものである。
【００７１】
以上のような構成を備えた本実施形態では、ドラッグ＆ドロップの操作と異なり、ワンタッチでアイコンの移動（すなわち隣接アイコン同士の配置交換）を行うことができるので、アイコン配置換えを簡易迅速に実現することが可能となる。
【００７２】
上述した実施形態では、タッチパネルディスプレイ４０として静電容量方式のものを例示したが、これに限定されず、圧着式（抵抗膜方式）などの他の方式のものでも適用可能である。
【００７３】
また、上述した実施形態では、位置移動ボタンとして、アイコンの上下左右端側の４つの近隣領域のいずれかに、アイコン移動方向を示す矢印（アローヘッド）の指標を表示する構成としたが、これに限定されない。他の例としては、例えばアイコンの各端側の４つの領域に「上（ＵＰ）」、「下（ＤＯＷＮ）」、「左（ＬＥＦＴ）」、「右（ＲＩＧＨＴ）」などの文字を表示する構成としてもよい。
【００７４】
さらに、これらの構成に加えて、図１０に示すように、斜め方向のアイコンとの配置交換を行うように、アイコンの各隅側に、さらに４つの領域を近隣領域として追加し、この追加された領域に、移動方向を示す矢印（図示参照）や「右上」、「右下」・・などの移動方向を示す文字を設ける構成とすることもできる。
【００７５】
例えば、図１０の例では、「５」のアイコンの右斜め上側の位置移動ボタンが、他の位置移動ボタンや定義解除ボタンと近い位置に設けられるため、相対的に誤操作が発生しやすくなることが考えられる。このような場合、「５」のアイコンの右斜め上側の位置移動ボタンを表示しない構成とすることが好ましい。このような構成としても、「２」のアイコンの左斜め下側の位置移動ボタンをタッチすることで、「５」のアイコンの右斜め上側の位置移動ボタンをタッチした場合と同様の効果が得られる。
【００７６】
また、上述の実施形態では、配置交換可能な一対のアイコンのそれぞれに、位置移動ボタンを表示する構成としたが、いずれか一方のアイコンのみに位置移動ボタンを表示する構成とすることもできる。さらには、図１１に示すように、アイコン間にまたがって、位置移動ボタンを表示させることもできる。このように、位置移動ボタンはアイコンの一部に設けられる構成であればよい。
【００７７】
さらに、上述した実施形態では、未定義のアイコンをタッチパネルディスプレイ４０の表示画面の右側に纏めて配置する設定例について説明したが、これに限定されない。他の例としては、未定義のアイコンを表示画面の左側に纏めて配置する設定例は勿論、図１２に示すように表示画面の下側に纏めて配置する設定例や、この逆の上側に纏めて配置する設定例としてもよい。
【００７８】
（第２の実施形態）
上述した第１の実施形態では、装置の機能が割り付けられた全てのアイコンが配置交換可能な構成とした。これに対して、第２の実施形態では、表示部内で機能が設定（定義）されたアイコンの内、例えばシステム管理者の設定により、特定のアイコンを、全てのユーザの表示画面で特定の場所に配置し、その移動を禁止する構成としたものである。以下、このようなアイコンを「管理者定義アイコン」と称し、主に第１の実施形態と異なる部分について説明し、同一の部分については説明を省略する。
【００７９】
管理者定義アイコンは、管理者等により装置の機能が固定的に定義されるアイコンで、例えば、「ＥＣＯコピー」のように両面印刷や２ｉｎ１印刷モードを定形として設定させる場合や、相手先を固定したファクシミリ通信を行う場合等に使用する。また、初期設定時に管理者が希望する任意の表示位置に設定できる等の点から、未定義アイコンとは異なる技術的性質を有している。
【００８０】
この管理者定義アイコンは、表示位置の移動（配置交換）が出来ず、このため位置移動ボタン（アローヘッド）が表示されない点で、上述した「未定義アイコン」と同様である。さらに、管理者定義アイコンは、その表示を消去したり設定機能を初期化（削除）することも禁止され、このため上述したアイコン右上の定義解除ボタン（「×」のボタン）も表示されない。
【００８１】
図１３に示すように、「６」のアイコンは、上述した管理者定義アイコンであり、かかるアイコン自体の表示位置の変更が禁止される。従って、管理者定義アイコンは、アイコン配置編集時において、上述したアローヘッド（位置移動ボタン）が表示されない。加えて、装置の機能が割り付けられていながら一般のユーザによる機能初期化も禁止されるため、アイコン右上の「×」記号による定義解除ボタンも表示されない。
【００８２】
この管理者定義アイコンを単に「配置交換禁止アイコン」とみなすと、図１４に示すように、定義済みである「７」のアイコンに隣接しているアイコンは全て配置交換が禁止されたアイコンであるため、「７」のアイコンの配置換えは出来ず、「×」記号による定義解除のみが許可されることになる。
【００８３】
しかしながら、このような場合でも、図１５に示すように、アイコンの各隅側に近隣領域及び位置移動ボタンを追加する構成とすれば、「７」のアイコンは、その左斜め上の「２」のアイコンとの配置交換ができるようになる。
【００８４】
さらに、管理者定義アイコンの両側に位置する２つの定義済みアイコンについては、例外的に、両アイコン間での配置交換、言い換えると、管理者定義アイコンを飛び越えての配置交換を許可する構成とすることもできる。
【００８５】
かかる配置交換を実現する第２実施形態では、図１６に示すように、管理者定義アイコンの両側に位置する２つの定義済みアイコン（この例では管理者定義アイコンの左側及び右側に隣接する「５」と「７」のアイコン）に、これら２つのアイコン間での表示位置の変更（配置交換）を行うための位置移動ボタン（この例では曲線矢印の指標）が各アイコンの管理者定義アイコンに近隣する領域に表示される。一方、管理者定義アイコンの上側に隣接する「２」のアイコンの下側には、管理者定義アイコンの下側に定義済みアイコンが存在しないことから、位置移動ボタンが表示されない。
【００８６】
この状態から、「７」のアイコンの左側の指標または「５」のアイコンの右側の指標を選択（指等でタッチ）すると、プロセッサ１０の制御により、これら２つのアイコンの配置が相互に入れ替わるように、タッチパネルディスプレイ４０上で表示される（図１６及び図１７参照）。
【００８７】
このように、第２実施形態では、表示位置の移動（配置の入れ替え）が禁止されるオブジェクト（移動禁止アイコン）が存在する場合であっても、特定のアイコン（管理者定義アイコン）の両側に隣接して表示される２つのアイコン、すなわち移動禁止アイコンを介して相互に対峙する一対のアイコンについては、該移動禁止アイコンに隣接される近隣領域の指標が選択されると、アイコンの配置が交換される。これにより、移動禁止アイコンの表示位置（配置場所）にかかわらず、定義済みアイコンの配置交換が実現され、ユーザビリティが確保される。
【００８８】
かかる第２実施形態の構成は、基本的に、上述した図４のフローチャートに従って遂行することが可能である。
【００８９】
上述した各実施形態の構成によれば、アイコン上に表示された位置移動ボタンを選択（指等でタッチ）するというワンタッチの操作で２つのアイコンの表示位置を変更し、その配置交換することができるので、ドラッグ＆ドロップのタッチ操作に不慣れなユーザーであっても、思い通りの位置に簡易迅速にアイコン移動ができる。従って、操作入力部におけるユーザビリティーの向上が計られた画像処理装置を提供することができる。
【００９０】
上述した各実施形態では、配置される各アイコンが相互に同一外形の構成としたが、これらアイコンが相互に完全に同一外形である必要はない。他の例としては、例えば、未定義のアイコンや管理者定義アイコンにつき、定義済みのアイコンとの間で一目で見分けが付くように、定義済みのアイコンとは異なる外形で表示することもできる。さらに、定義済みのアイコン同士でも、必ずしも相互に同一外形の構成とする必要はないが、アイコン上に表示する各ボタンの座標の定義や処理の簡素化等の観点からは、相互に同一外形の構成とすることが好ましい。
【００９１】
また、上述した各実施形態では、表示／操作パネル４が原稿台の上方に位置され、回動及び屈曲可能なアーム部材により移動可能に支持される構成としたが、これに限定されなず、例えば、典型的なタイプ、すなわち、表示／操作パネルが用紙台の手前側（ユーザに近接される側）に固定して設けられた構成のものであってもよい。
【００９２】
総じて、本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００９３】
１００  画像処理装置
１  画像形成部、３  カセット、５  スキャナ、７  自動原稿送り装置
１０  プロセッサ（制御手段）、２０  ＤＲＡＭ、３０  ＲＯＭ、５０  ＨＤＤ、６０  スキャナ、７０  プリンタ、８０  ネットワークＩ／Ｆ、
４  表示／操作パネル（表示手段）
４０  タッチパネルディスプレイ
４１  操作パネル
４２  機能設定キー（４２ａ  スキャン機能選択キー、４２ｂ  コピー機能選択キー、４２ｃ  ＦＡＸ機能選択キー）、４３  テンキー、４４  スタートキー、４５  リセットキー、４６  ストップキー
【図１】
2018173999.tif 000003
【図２】
2018173999.tif 000004
【図３】
2018173999.tif 000005
【図４】
2018173999.tif 000006
【図５】
2018173999.tif 000007
【図６】
2018173999.tif 000008
【図７】
2018173999.tif 000009
【図８】
2018173999.tif 000010
【図９】
2018173999.tif 000011
【図１０】
2018173999.tif 000012
【図１１】
2018173999.tif 000013
【図１２】
2018173999.tif 000014
【図１３】
2018173999.tif 000015
【図１４】
2018173999.tif 000016
【図１５】
2018173999.tif 000017
【図１６】
2018173999.tif 000018
【図１７】
2018173999.tif 000019
【図１８】
2018173999.tif 000020
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
画面に画像を表示する表示手段と、
前記表示手段に、装置の機能が割り付けられた定義済みオブジェクトと、装置の機能が割り付けられ且つ配置換えが禁止される移動禁止オブジェクトとを表示し、選択される前記定義済みオブジェクトまたは前記移動禁止オブジェクトに割り付けられた機能を遂行する制御手段と、を備え、
前記制御手段は、前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示し、かつ、前記２つの定義済みオブジェクトの少なくとも一方に前記移動ボタンの少なくとも一部が重なるように表示し、前記移動ボタンが選択されると、前記２つの定義済みオブジェクトの配置を入れ替え、
近隣する前記定義済みオブジェクトおよび前記移動禁止オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように表示し、前記移動ボタンが選択されると、前記２つの定義済みオブジェクトの配置を入れ替える
ことを特徴とする画像処理装置。
【請求項２】
画面に画像を表示する表示手段と、
前記表示手段に、装置の機能が割り付けられた定義済みオブジェクトと、装置の機能が割り付けられ且つ配置換えが禁止される移動禁止オブジェクトとを表示し、選択される前記定義済みオブジェクトまたは前記移動禁止オブジェクトに割り付けられた機能を遂行する制御手段と、を備え、
前記制御手段は、前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示するとともに、前記２つの定義済みオブジェクトの少なくとも一方に前記移動ボタンの少なくとも一部が重なるように、かつ、他方の前記定義済みオブジェクト側への移動を示す態様で表示し、前記移動ボタンが選択されると、前記２つの定義済みオブジェクトの配置を入れ替え、
近隣する前記定義済みオブジェクトおよび前記移動禁止オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように、かつ前記移動禁止オブジェクトを跨いでの他方の前記定義済みオブジェクト側への移動を示す態様で表示し、前記移動ボタンが選択されると、前記２つの定義済みオブジェクトの配置を入れ替える
ことを特徴とする画像処理装置。
【請求項３】
表示手段を備える画像処理装置によるオブジェクト表示方法であって、
前記表示手段に、装置の機能が割り付けられた定義済みオブジェクトと、装置の機能が割り付けられ且つ配置換えが禁止される移動禁止オブジェクトとを表示し、
前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示し、かつ、前記２つの定義済みオブジェクトの少なくとも一方に前記移動ボタンの少なくとも一部が重なるように表示し、前記移動ボタンが選択されると、前記２つの両定義済みオブジェクトの配置を入れ替え、
近隣する前記定義済みオブジェクトおよび前記未定義オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように表示し、前記移動ボタンが選択されると、前記２つの定義済みオブジェクトの配置を入れ替え、
前記編集モードが終了し、前記定義済みオブジェクトまたは前記移動禁止オブジェクトが選択されると該定義済みオブジェクトまたは移動禁止オブジェクトに割り付けられた機能を遂行する
ことを特徴とするオブジェクト表示方法。
【請求項４】
表示手段を備える画像処理装置によるオブジェクト表示方法であって、
前記表示手段に、装置の機能が割り付けられた定義済みオブジェクトと、装置の機能が割り付けられ且つ配置換えが禁止される移動禁止オブジェクトとを表示し、
前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示するとともに、前記２つの定義済みオブジェクトの少なくとも一方に前記移動ボタンの少なくとも一部が重なるように、かつ、他方の前記定義済みオブジェクト側への移動を示す態様で表示し、前記移動ボタンが選択されると、前記２つの定義済みオブジェクトの配置を入れ替え、
近隣する前記定義済みオブジェクトおよび前記未定義オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように、かつ前記移動禁止オブジェクトを跨いでの他方の前記定義済みオブジェクト側への移動を示す態様で表示し、前記移動ボタンが選択されると、前記２つの定義済みオブジェクトの配置を入れ替え、
前記編集モードが終了し、前記定義済みオブジェクトまたは前記移動禁止オブジェクトが選択されると該定義済みオブジェクトまたは移動禁止オブジェクトに割り付けられた機能を遂行する
ことを特徴とするオブジェクト表示方法。
【請求項５】
表示手段を備える画像処理装置に、
前記表示手段に、前記画像処理装置の機能が割り付けられた定義済みオブジェクトと、装置の機能が割り付けられ且つ配置換えが禁止される移動禁止オブジェクトとを表示し、
前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示し、かつ、前記２つの定義済みオブジェクトの少なくとも一方に前記移動ボタンの少なくとも一部が重なるように表示し、前記移動ボタンが選択されると、前記２つの両定義済みオブジェクトの配置を交換するように前記表示設定を変更し、
近隣する前記定義済みオブジェクトおよび前記未定義オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように表示し、前記移動ボタンが選択されると、前記２つの定義済みオブジェクトの配置を入れ替え、
前記編集モードが終了し、前記定義済みオブジェクトまたは前記移動禁止オブジェクトが選択されると該定義済みオブジェクトまたは移動禁止オブジェクトに割り付けられた機能を遂行する
ことを実行させるオブジェクト表示プログラム。
【請求項６】
表示手段を備える画像処理装置に、
前記表示手段に、装置の機能が割り付けられた定義済みオブジェクトと、装置の機能が割り付けられ且つ配置換えが禁止される移動禁止オブジェクトとを表示し、
前記定義済みオブジェクトおよび前記移動禁止オブジェクトの表示設定を編集する編集モードにおいて、オブジェクト間の配置を入れ替えるための移動ボタンを、近隣する２つの前記定義済みオブジェクトに対して表示するとともに、前記２つの定義済みオブジェクトの少なくとも一方に前記移動ボタンの少なくとも一部が重なるように、かつ、他方の前記定義済みオブジェクト側への移動を示す態様で表示し、前記移動ボタンが選択されると、前記２つの定義済みオブジェクトの配置を入れ替え、
近隣する前記定義済みオブジェクトおよび前記未定義オブジェクトに対する前記移動ボタンの表示を禁止し、
前記移動禁止オブジェクトの両側に位置する２つの前記定義済みオブジェクトに対する前記移動ボタンを、前記２つの定義済みオブジェクトの少なくとも一方に前記移動ボタンの少なくとも一部が重なるように、かつ前記移動禁止オブジェクトを跨いでの他方の前記定義済みオブジェクト側への移動を示す態様で表示し、前記移動ボタンが選択されると、前記２つの定義済みオブジェクトの配置を入れ替え、
前記編集モードが終了し、前記定義済みオブジェクトまたは前記移動禁止オブジェクトが選択されると該定義済みオブジェクトまたは移動禁止オブジェクトに割り付けられた機能を遂行する
ことを実行させるオブジェクト表示プログラム。